(57)【要約】【課題】  コイン精米機において、精米作業中に料金が不足して停止した場合においては搬送経路や精米機中に穀粒が残留して次の利用者の穀粒と混じる欠点を解決することを課題とする。【解決手段】  前記搬送装置と前記投入タンクの上方とを還元通路で連通する構成とすると共に、前記搬送装置で搬送される穀粒を石抜装置側か還元通路側の何れかに供給するための切替装置を設け、該切替装置は切替スイッチで切替動作をする構成とするものであって、前記制御部が投入料金分に対応する時間を駆動制御させて停止した後に前記切替スイッチを操作すると、前記切替装置が還元通路側を開放するべく切替動作すると共に、前記搬送装置と前記精米装置とを駆動する構成とした。【選択図】  図５
2007117943.tif 000002
【特許請求の範囲】
【請求項１】
穀粒を投入する投入ホッパ（４）と該投入ホッパ（４）に投入した穀粒を石抜処理する石抜装置（１１）と該石抜処理した穀粒を精米処理する精米装置（５）と該精米装置（５）で精米処理され排出された精白米を受ける白米タンク（６）と前記投入ホッパ（４）内の穀粒を石抜装置（１１）に搬送する搬送装置（１０）と精白度を設定する操作盤（７）と料金を投入する料金投入口（２２）と前記投入した料金に対応する時間前記石抜装置（１１）や前記精米装置（５）や前記搬送装置（１０）を駆動制御する制御部とを備え、前記搬送装置（１０）と前記投入ホッパ（４）の上方とを還元通路（２０）で連通する構成とすると共に、前記搬送装置（１０）で搬送される穀粒を石抜装置（１１）側か還元通路（２０）側の何れかに供給するための切替装置（２１）を設け、該切替装置（２１）は切替スイッチ（２４）で切替動作をする構成とするものであって、前記制御部が投入料金分に対応する時間を駆動制御させて停止した後に前記切替スイッチ（２４）を操作すると、前記切替装置（２１）が還元通路（２０）側を開放するべく切替動作すると共に、前記搬送装置（１０）と前記精米装置（５）とを駆動する構成としたことを特徴とするコイン精米装置。
【請求項２】
制御部が投入料金分に対応する時間を駆動制御させて停止してから設定時間内は前記切替スイッチ（２４）を操作しても切替装置（２１）及び搬送装置（１０）及び精米装置（５）は動作しないよう制御する構成としたことを特徴とする請求項１記載のコイン精米装置。
【発明の詳細な説明】
【技術分野】
【０００１】
本発明は、利用者が料金を投入して精米処理するコイン精米装置に関するものである。
【背景技術】
【０００２】
特許文献１には、コイン精米装置において、精米作業中に料金が不足した場合等の事情で利用者が途中で精米作業を中止するとき、持ち帰りボタンを押すと投入ホッパ内に残留した穀粒が昇降機と穀粒返却通路を経て投入タンクの上方に返却する技術が記載されている。
【特許文献１】特開２００２−３５６１８号公報
【発明の開示】
【発明が解決しようとする課題】
【０００３】
特許文献1においては、精米作業中に料金が不足して停止した場合においては搬送経路や精米機中に穀粒が残留している状態であるため、作業を途中で終了した作業者が投入タンク内の穀粒を持ち帰ると、精米機中の残留穀粒が次の利用者の穀粒と混じってしまうという欠点がある。
【０００４】
本発明は、この欠点を解決することを課題とする。
【課題を解決するための手段】
【０００５】
本発明は、上記課題を解決するために以下のような技術的手段を講じた。
すなわち、請求項１記載の発明は、穀粒を投入する投入ホッパ（４）と該投入ホッパ（４）に投入した穀粒を石抜処理する石抜装置（１１）と該石抜処理した穀粒を精米処理する精米装置（５）と該精米装置（５）で精米処理され排出された精白米を受ける白米タンク（６）と前記投入ホッパ（４）内の穀粒を石抜装置（１１）に搬送する搬送装置（１０）と精白度を設定する操作盤（７）と料金を投入する料金投入口（２２）と前記投入した料金に対応する時間前記石抜装置（１１）や前記精米装置（５）や前記搬送装置（１０）を駆動制御する制御部とを備え、前記搬送装置（１０）と前記投入ホッパ（４）の上方とを還元通路（２０）で連通する構成とすると共に、前記搬送装置（１０）で搬送される穀粒を石抜装置（１１）側か還元通路（２０）側の何れかに供給するための切替装置（２１）を設け、該切替装置（２１）は切替スイッチ（２４）で切替動作をする構成とするものであって、前記制御部が投入料金分に対応する時間を駆動制御させて停止した後に前記切替スイッチ（２４）を操作すると、前記切替装置（２１）が還元通路（２０）側を開放するべく切替動作すると共に、前記搬送装置（１０）と前記精米装置（５）とを駆動する構成としたことを特徴とするコイン精米装置とする。
【０００６】
請求項２記載の発明は、制御部が投入料金分に対応する時間を駆動制御させて停止してから設定時間内は前記切替スイッチ（２４）を操作しても切替装置（２１）及び搬送装置（１０）及び精米装置（５）は動作しないよう制御する構成としたことを特徴とする請求項１記載のコイン精米装置とする。
【発明の効果】
【０００７】
請求項１記載の発明によると、利用者が投入ホッパ４に穀粒を投入し、かつ料金投入口２２に料金を投入すると搬送装置１０、石抜装置１１、精米装置５等の装置各部が駆動を開始する。そして、投入料金分に対応する時間駆動して停止した際に、投入ホッパ４に穀粒が残留していて利用者が追加料金を投入しないで精米作業を終了して残留穀粒を持ち帰る場合には、切替スイッチ２４を操作すると切替装置２１が還元通路２０側を開放するべく切替動作がなされ、投入ホッパ４内の穀粒は搬送装置１０で搬送され還元通路２０を経て投入ホッパ４の上方に還元される。利用者は還元通路２０から排出される穀粒を袋等で受けて残留穀粒を持ち帰る。また、切替スイッチ２４を押すと精米装置５が駆動し、精米装置５内に残留する残留穀粒を白米タンクに排出する。本発明により、料金不足で精米作業を途中で終わらせる場合に、利用者は切替スイッチ２４を操作することで、投入ホッパ４内の残留穀粒及び精米装置５内の残留穀粒を取り出すことができるため、コイン精米装置内に穀粒が残留して次の利用者が持参した穀粒と混じるという不具合を防止することができる。
【０００８】
請求項２記載の発明によると、制御部が投入料金分に対応する時間を駆動制御させて停止してから設定時間内は前記切替スイッチ（２４）を操作しても切替装置（２１）及び搬送装置（１０）及び精米装置（５）は動作しないよう制御する構成としたことで、さらなる料金の追加を促し迅速に精米作業の継続を行なうことが可能になる。
【発明を実施するための最良の形態】
【０００９】
発明を実施するための最良の形態として建屋式のコイン精米装置に実施した場合について説明する。
建屋Ａ内を仕切壁１で操作室２と機械室３とに区分けし、操作室２側には利用者が玄米を投入する投入ホッパ４と精米装置５で精白処理された精白米が排出される白米タンク６を臨ませる。そして、投入ホッパ４と白米タンク６との間には利用者用の操作盤７を設けている。投入ホッパ４内の下部には玄米の有無を検出する投入ホッパセンサ８を設け、下端位置には玄米を設定量ずつ繰り出すロータリバルブ９を設けている。
【００１０】
機械室３側には投入ホッパ４内の玄米を揚穀搬送する第一昇降機１０と、第一昇降機１０で揚穀搬送された玄米を石抜処理する石抜装置１１と、石抜装置１１で石抜処理された玄米を揚穀搬送する第二昇降機１２と、第二昇降機１２で揚穀搬送された玄米を貯留する玄米タンク１３と玄米タンク１３の玄米を精白処理する精米装置５と、精米装置５で精白開始直後に排出した精白米を一時貯留する白米シュート１８とを設けている。その他に機械室３内には石抜装置１１で石抜処理された玄米からわら屑等の長尺異物を除去する異物除去装置１４や精米装置５で精白処理されて発生した糠を吸引する糠吸引ファン１５等を設けている。なお、本実施の形態の投入ホッパセンサ８と玄米タンク１３の上限を検出する玄米タンクセンサ１６と玄米タンク１３の下限を検出する玄米タンク下限センサ１７はともに静電容量式のセンサを利用している。
【００１１】
２０は還元通路でその一端を第一昇降機１０に連結し他端は仕切壁１を通過して投入ホッパ４の上方に位置している。そして、切替弁２１で第一昇降機１０で搬送された玄米を石抜装置１１側に供給するか、投入ホッパ４側に供給するかを切替できる構成としている。
【００１２】
玄米タンク１３には透視窓１９が取り付けられており、利用者が操作室２側から玄米の有無を確認できる構成としている。
次に操作盤７について説明する。
【００１３】
操作盤７には利用者が料金を投入する料金投入口２２と、五分・八分・上白等の各種精白度を選択する複数の選択ボタン２３を備えている。２４は持ち帰りボタンで、このボタンを操作するとロータリバルブ９と第一昇降機１０が駆動すると共に切替弁２１が還元通路２０側が開放するよう作動する構成である。２５はコイン精米装置の使用法を利用者に知らせる音声出力口である。また、操作盤７内には図示しないがコイン精米装置の装置各部を駆動制御する制御部や料金投入口２２投入したコインを受けるコインメック等を備えている。
【００１４】
次に精米作業について説明する。
操作室２に入った利用者は持参した玄米を投入ホッパ４に投入する。そして、料金を料金投入口２２に投入すると共に、選択ボタン２３を押して精白度を選択すると機械室３の装置各部が駆動を開始する。投入ホッパ４内の玄米はロータリバルブ９で第一昇降機１０に繰り出され、第一昇降機１０で石抜装置１１に供給される。石抜装置１１で石抜き処理され、次いで異物除去装置１４でわら屑等の長尺物が選別された玄米は第二昇降機１２で玄米タンク１３に搬送される。玄米下限センサ１７が玄米を検出すると始めて投入料金の課金がなされ、玄米タンク１３内に貯留された玄米は順次精米装置５に供給され精白処理がなされる。精米装置５から排出された精白米のうち精白開始直後の精白米は白米シュート１８にチャージし、それ以降の精白米を白米タンク１８に排出する。投入ホッパ４内の玄米が無くなったことを投入ホッパセンサ８が検出すると装置各部が終了動作に入り白米シュート１８に貯留した白米を再度第二昇降機１２を経由して玄米タンク１３に供給し再度精米装置５で精白処理がなされて白米タンク６に排出される。
【００１５】
次に料金不足で装置各部が途中で停止した場合について説明する。
料金に対応する運転時間を経過すると装置各部は停止する。そのとき、投入ホッパ４には玄米が残留すると共に玄米タンク１３及び精米装置５内にも精白処理中の精白米が残留している状態である。このとき、装置各部が停止してから設定時間（例えば５分間）は持ち帰りボタン２４を押してもロータリバルブ９と第一昇降機１０と切替弁２１は作動しない構成とし、その間、料金不足であり料金を追加する旨を音声出力口２５から伝えるようにする。
【００１６】
そして設定時間が経過すると持ち帰りボタン２４が使用できる旨を音声で知らせ、利用者が持ち帰りボタン２４を押すとロータリバルブ９と第一昇降機１０が駆動を開始すると共に、切替弁２１が切り替えられ投入ホッパ４内に残留した玄米はロータリバルブ９から第一昇降機１０を経由して還元通路２０を通過し、還元口２０ａから再度投入ホッパ４に供給される。このとき、利用者は投入ホッパ４上に袋等の容器を載置して還元口２０ａから排出される残留玄米を受けるようにする。一方、石抜装置１１、異物除去装置１４、第二昇降機１２、精米装置５も設定時間駆動し、装置各部に残留している玄米を精白処理して白米タンク６に排出するものである。そのため、コイン精米装置内には残留玄米が無くなり、次にコイン精米装置を利用する利用者が持参した玄米と混じるトラブルを防止することができるものである。
【００１７】
本実施の形態は持ち帰りボタン２４を押すと装置各部が駆動して装置各部に残留する玄米を排出する構成であるが、利用者が操作室２にいるか否かを検出するセンサ（図示せず）を操作室２内に設け、利用者が建屋Ａを出たことを検出してから自動に装置各部を駆動して残留玄米を排出するようにしても良い。
【００１８】
本発明の料金不足で装置各部が途中で停止した場合の別実施例として、装置各部が停止したときに第一昇降機１０、石抜装置１１、異物除去装置１４、第二昇降機１２を所定時間駆動させ、玄米タンク１３に残留穀粒を貯留してから停止するようにすることで、利用者が透視窓１９を見て玄米タンク１３に穀粒があることを認識することがしやくすなり、さらなる料金の追加を促すことができる。また、利用者が料金を追加した場合に、第一昇降機１０、石抜装置１１、異物除去装置１４、第二昇降機１２内に残留穀粒が無いため、過負荷になり難く、迅速で円滑な精米作業を再開することができる。また、その際に白米シュート１８に残留する穀粒も玄米タンク１３に還元する構成にしても良い。
【００１９】
また、装置各部が料金不足で装置各部が途中で停止した場合に、その原因がコインメックの故障の時には装置各部を所定時間駆動して装置各部内の残留穀粒を白米タンク６に排出する構成にしても良い。
【図面の簡単な説明】
【００２０】
【図１】コイン精米装置の平面図
【図２】操作室側から見た正面図
【図３】側面から見た機械室内部を説明する図
【図４】正面から見た機械室内部を説明する図
【図５】コイン精米装置の工程図
【符号の説明】
【００２１】
４    投入ホッパ
５    精米装置
６    白米タンク
７    操作盤
１０  搬送装置
１１  石抜装置
２０  還元通路
２１  切替装置
２２  料金投入口
２４  持ち帰りボタン
【図１】
2007117943.tif 000003
【図２】
2007117943.tif 000004
【図３】
2007117943.tif 000005
【図４】
2007117943.tif 000006
【図５】
2007117943.tif 000007